【手続補正書】
【提出日】平成28年11月25日(2016.11.25)
【手続補正１】
【補正対象書類名】明細書
【補正対象項目名】０００９
【補正方法】変更
【補正の内容】
【０００９】
上記目的を達成するために、請求項１の画像形成装置は、画像処理を実行するための複数のハードウェアユニットごとに電源を供給可能であり、Ｗｅｂアプリケーションを実行可能な画像形成装置であって、前記Ｗｅｂアプリケーションを実行する際に、前記Ｗｅｂアプリケーションが利用するハードウェアユニットを特定するための特定情報を取得する取得手段と、前記取得手段により取得された特定情報に基づいて特定されるハードウェアユニットに電源を供給する供給手段とを備えることを特徴とする。 
【手続補正２】
【補正対象書類名】明細書
【補正対象項目名】００１０
【補正方法】変更
【補正の内容】
【００１０】
本発明によれば、Ｗｅｂアプリケーションを実行する際に、Ｗｅｂアプリケーションが利用するハードウェアユニットを特定するための特定情報がＷｅｂサーバから取得され、取得された特定情報に基づいて特定されるハードウェアユニットに電源が供給されるので、Ｗｅｂアプリケーションによる画像処理を遅滞なく実行可能であるとともに、消費電力を抑制することができる。 
【手続補正３】
【補正対象書類名】明細書
【補正対象項目名】００６０
【補正方法】変更
【補正の内容】
【００６０】
このように、利用ユニットデータベース８０３は、Ｗｅｂアプリケーションを識別するための識別情報と、当該識別情報により識別されるＷｅｂアプリケーションが利用するハードウェアユニットを示すハードウェアユニット名とをＷｅｂアプリケーションごとに示すものである。 
【手続補正４】
【補正対象書類名】特許請求の範囲
【補正対象項目名】全文
【補正方法】変更
【補正の内容】
【特許請求の範囲】
【請求項１】
画像処理を実行するための複数のハードウェアユニットごとに電源を供給可能であり、Ｗｅｂアプリケーションを実行可能な画像形成装置であって、
前記Ｗｅｂアプリケーションを実行する際に、前記Ｗｅｂアプリケーションが利用するハードウェアユニットを特定するための特定情報をＷｅｂサーバから取得する取得手段と、
前記取得手段により取得された特定情報に基づいて特定されるハードウェアユニットに電源を供給する供給手段と
を備えることを特徴とする画像形成装置。
【請求項２】
前記特定情報は、前記Ｗｅｂアプリケーションが利用するハードウェアユニットのハードウェアユニット名を含み、
前記供給手段は、前記取得手段により取得された前記特定情報に含まれるハードウェアユニット名に基づいて特定されるハードウェアユニットに電源を供給することを特徴とする請求項１記載の画像形成装置。
【請求項３】
前記Ｗｅｂアプリケーションを識別するための識別情報と、当該識別情報により識別されるＷｅｂアプリケーションが利用するハードウェアユニットを示すハードウェアユニット名とを前記Ｗｅｂアプリケーションごとに示すデータベースが記憶された記憶部をさらに備え、
前記特定情報は、前記識別情報を含み、
前記供給手段は、前記取得手段により取得された前記特定情報に含まれる識別情報から、前記記憶部に記憶された前記データベースに含まれるハードウェアユニット名に基づいて特定されるハードウェアユニットに電源を供給することを特徴とする請求項１記載の画像形成装置。
【請求項４】
前記データベースを更新する更新手段をさらに備え、
前記取得手段により取得された前記特定情報に、前記識別情報に加え、前記Ｗｅｂアプリケーションが利用するハードウェアユニットのハードウェアユニット名がさらに含まれる場合、前記更新手段は、前記特定情報を用いて前記データベースを更新し、前記供給手段は、前記特定情報に含まれるハードウェアユニット名に基づいて特定されるハードウェアユニットに電源を供給することを特徴とする請求項３記載の画像形成装置。
【請求項５】
画像処理を実行するための複数のハードウェアユニットごとに電源を供給可能であり、Ｗｅｂアプリケーションを実行可能な画像形成装置の制御方法であって、
前記Ｗｅｂアプリケーションを実行する際に、前記Ｗｅｂアプリケーションが利用するハードウェアユニットを特定するための特定情報をＷｅｂサーバから取得する取得ステップと、
前記取得ステップにより取得された特定情報に基づいて特定されるハードウェアユニットに電源を供給する供給ステップと
を有することを特徴とする制御方法。
【請求項６】
前記特定情報は、前記Ｗｅｂアプリケーションが利用するハードウェアユニットのハードウェアユニット名を含み、
前記供給ステップは、前記取得ステップにより取得された前記特定情報に含まれるハードウェアユニット名に基づいて特定されるハードウェアユニットに電源を供給することを特徴とする請求項５記載の制御方法。
【請求項７】
前記画像形成装置は、前記Ｗｅｂアプリケーションを識別するための識別情報と、当該識別情報により識別されるＷｅｂアプリケーションが利用するハードウェアユニットを示すハードウェアユニット名とを前記Ｗｅｂアプリケーションごとに示すデータベースが記憶された記憶部をさらに有し、
前記特定情報は、前記識別情報を含み、
前記供給ステップは、前記取得ステップにより取得された前記特定情報に含まれる識別情報から、前記記憶部に記憶された前記データベースに含まれるハードウェアユニット名に基づいて特定されるハードウェアユニットに電源を供給することを特徴とする請求項５記載の制御方法。
【請求項８】
前記データベースを更新する更新ステップを更に有し、
前記取得ステップにより取得された前記特定情報に、前記識別情報に加え、前記Ｗｅｂアプリケーションが利用するハードウェアユニットのハードウェアユニット名がさらに含まれる場合、前記更新ステップは、前記特定情報を用いて前記データベースを更新し、前記供給ステップは、前記特定情報に含まれるハードウェアユニット名に基づいて特定されるハードウェアユニットに電源を供給することを特徴とする請求項７記載の制御方法。
【請求項９】
画像処理を実行するための複数のハードウェアユニットごとに電源を供給可能であり、Ｗｅｂアプリケーションを実行可能な画像形成装置の制御方法をコンピュータに実行させるためのプログラムであって、
前記制御方法は、
前記Ｗｅｂアプリケーションを実行する際に、前記Ｗｅｂアプリケーションが利用するハードウェアユニットを特定するための特定情報をＷｅｂサーバから取得する取得ステップと、
前記取得ステップにより取得された特定情報に基づいて特定されるハードウェアユニットに電源を供給する供給ステップと
を有することを特徴とするプログラム。
【請求項１０】
前記特定情報は、前記Ｗｅｂアプリケーションが利用するハードウェアユニットのハードウェアユニット名を含み、
前記供給ステップは、前記取得ステップにより取得された前記特定情報に含まれるハードウェアユニット名に基づいて特定されるハードウェアユニットに電源を供給することを特徴とする請求項９記載のプログラム。
【請求項１１】
前記画像形成装置は、前記Ｗｅｂアプリケーションを識別するための識別情報と、当該識別情報により識別されるＷｅｂアプリケーションが利用するハードウェアユニットを示すハードウェアユニット名とを前記Ｗｅｂアプリケーションごとに示すデータベースが記憶された記憶部をさらに有し、
前記特定情報は、前記識別情報を含み、
前記供給ステップは、前記取得ステップにより取得された前記特定情報に含まれる識別情報から、前記記憶部に記憶された前記データベースに含まれるハードウェアユニット名に基づいて特定されるハードウェアユニットに電源を供給することを特徴とする請求項９記載のプログラム。
【請求項１２】
前記データベースを更新する更新ステップを更に有し、
前記取得ステップにより取得された前記特定情報に、前記識別情報に加え、前記Ｗｅｂアプリケーションが利用するハードウェアユニットのハードウェアユニット名がさらに含まれる場合、前記更新ステップは、前記特定情報を用いて前記データベースを更新し、前記供給ステップは、前記特定情報に含まれるハードウェアユニット名に基づいて特定されるハードウェアユニットに電源を供給することを特徴とする請求項１１記載のプログラム。